(57)【特許請求の範囲】
【請求項１】
引違い障子、片引き障子等の召合せ框を有するサッシにおける防犯用つっかい棒において、
内部側の障子の召合せ框に設けた戸当り部材に嵌合して衝接可能な対戸当り側嵌合衝接部を一端に有し、他端にコイルばねの一端側を挿入固定される筒部を有する第１のばね支持部材と、
コイルばねと、
一端にコイルばねの他端側を挿入される筒部を有し、他端に外部側の障子に固定されたブラケットに嵌合して衝接可能な反戸当り側嵌合衝接部を有する第２のばね支持部材と、
第１又は第２のばね支持部材に一端が固定されて他端側へ向ってほぼコイルばねの長手方向に沿って配され他端が把手となった操作部材と、
を有し、
操作部材を用いてコイルばねを湾曲させて着脱可能としたことを特徴とする防犯用つっかい棒である。
【発明の詳細な説明】
【技術分野】
【０００１】
この発明は、引違い障子（戸を含む）又は片引き障子（戸を含む）を有する開口部からの侵入盗を防止するための防犯用つっかい棒に関する。
【背景技術】
【０００２】
従来、開口部の引違い障子、片引き障子には錠前装置を設けている。この錠前装置は、召合せ框の位置において召合せ框同士を固定する。又は、戸当り框と開口枠との間に設けているのが一般的である。処が近時侵入盗の著しい増加を動機として更に第２の錠前装置を設けることが行われている。この第２の錠前装置は前述の召合せ框同士の間に設けた錠前装置が侵入盗により、解錠又は破壊されても障子を開けられないようにするのが目的である。そこで第２の錠前装置は格別に防犯目的を有し、防犯用錠前装置と称する。
【０００３】
この第２の錠前装置として内部側の障子の召合せ框と外部側の障子の間につっかい棒を設けることが行われている。例えば、つっかい棒が取り外されると警報がでる音響発生装置をつっかい棒に装着したものが知られている。
【特許文献１】特許公開２００１−９３０５３
【特許文献２】特開平１０−２８０７７８号公報
【発明の開示】
【発明が解決しようとする課題】
【０００４】
つっかい棒は引違い障子、片引き障子の可動の内部側の障子（以下内障子という）の召合せ框と外部側の障子の竪枠との間に設ける。つっかい棒を設ける位置は引違い障子、片引き障子の外部側の障子（以下外障子という）の下框に沿って開口枠の下枠上に置かれる。防犯上からは斜設しないで、外障子の下框と開口枠の下枠の内部側の窓台との間において下枠上に設けるのがよい。何故なれば、通常、内外障子を施錠するクレセント付近のガラスが侵入盗によって割られるので、つっかい棒を斜設するとつっかい棒に手を掛けて容易に取り外されてしまうからである。
【０００５】
処が窓台と外障子の下框間の溝部につっかい棒を落とし込むと、取り外しが困難である。特に、つっかい棒を水平近くに斜設して押し込むと内障子の召合せ框と外部側の障子間には大きな水平力が働くので防犯上は都合がよいが取り外しが困難となる。そこで、つっかい棒の場合、窓台と外障子間に収める場合は両端は召合せ框及び外部側の障子には多少のがたを設ける。すると盗犯はこれを察知して取り外してしまう可能性がある。
【０００６】
この発明は内障子の召合せ框を強力に押圧可能で且つ、着脱が容易であるが、取り外し方法が侵入者には分り難い防犯用つっかい棒を提供することを目的とする。
【０００７】
この発明は上記目的に加えて内障子の部分開を可能とし、且つ部分開の状態で戸締りの機能を有する防犯用つっかい棒を提供することを目的とする。
【課題を解決するための手段】
【０００８】
本出願に係る第１の発明は引違い障子、片引き障子等の召合せ框を有するサッシにおける防犯用つっかい棒において、
内部側の障子の召合せ框に設けた戸当り部材に嵌合して衝接可能な対戸当り側嵌合衝接部を一端に有し、他端にコイルばねの一端側を挿入固定される筒部を有する第１のばね支持部材と、
コイルばねと、
一端にコイルばねの他端側を挿入される筒部を有し、他端に外部側の障子に固定されたブラケットに嵌合して衝接可能な反戸当り側嵌合衝接部を有する第２のばね支持部材と、
第１又は第２のばね支持部材に一端が固定されて他端側へ向ってほぼコイルばねの長手方向に沿って配され他端が把手となった操作部材と、
を有し、
操作部材を用いてコイルばねを湾曲させて着脱可能としたことを特徴とする防犯用つっかい棒である。
【発明の効果】
【００１０】
この発明によれば、コイルばねの一端が内部側の障子の召合せ框に嵌合衝接可能な第１ばね支持部材に固定され、コイルばねの他端がブラケットに係合する端部を有する第２のばね支持部材に固定されているため、コイルばねをその長手方向に対して湾曲してつっかい棒の両端間の長さを小さくして内部側の障子の召合せ框とブラケットとの間に挿入して真直に復元でき召合せ框を容易に加圧できる。そして、第１又は第２ばね支持部材に一端が固定されてコイルばねの長手方向に沿って他端が上側において把手となった操作部材があるため、外部側の障子の下框と下枠の内部側の窓台間即ち、下枠側の溝部の空間である装着部に落とし込まれた状態で召合せ框とブラケット間に両端が戸当り部材、及び、ブラケットに嵌合した状態でつっぱっているつっかい棒を把手で持ち上げてコイルばねを湾曲させてつっかい棒の全長を短くして容易に取り外すことができる。
【発明を実施するための最良の形態】
【００１２】
図１から図８を参照して、この発明の防犯用つっかい棒は次の構成を有する。
【００１３】
外部側の外障子７が開口枠１に移動可能な引違い障子、片引き障子等の召合せ框１２，１８を有するサッシにおける防犯用つっかい棒において、
内部側の内障子６の召合せ框１２に設けた戸当り部材２２に嵌合して衝接可能な対戸当り側嵌合衝接部２３ａを一端に有し、他端にコイルばね２４の一端側２４ａを挿入固定される円筒部２５ａを有する第１のばね支持部材２６と、コイルばね２４と、一端にコイルばね２４の他端側２４ｂを挿入される円筒部２８ａを有し、他端に外部側の外障子７に固定されたブラケット２９に嵌合して衝接可能な反戸当り側嵌合衝接部３１ａを有する第２のばね支持部材３０と、第１又は第２のばね支持部材２６，３０に一端３２ａが固定されて他端３２ｂ側へ向ってほぼコイルばね２４の長手方向に沿って配され他端３２ｂが把手となった操作部材３２と、を有する。
【００１４】
そして、外部側の外障子７の内部側における開口枠１の下枠３側の壁面方向の溝３ｇに操作部材３２を用いてコイルばね２４を湾曲させて対戸当り側嵌合衝接部２３ａを戸当り部材２２に嵌合して、及び反戸当り側嵌合衝接部３１ａをブラケット２９に嵌合して着脱可能とした。
【実施例】
【００１７】
以下、図面に従ってこの発明の実施例について説明する。
【００１８】
（引違い窓）
この発明は引違い障子又は片引き障子を有する窓、テラス戸等に適用されるものである。先ず、この発明が適用される引違い窓の例について説明する。
【００１９】
図１は内部側より見る引違い窓の正面図である。図２は図１のＡ−Ａ断面図、図３は図１のＢ−Ｂ断面図である。図１に示すように開口枠１は上枠２、下枠３、竪枠４，５により四方組され、開口枠1には内障子６、外障子７が引違いに嵌め込まれている。なお、片引き窓の場合は外障子７は嵌め殺しとなる。
【００２０】
内障子６は上框８、下框９、竪框１１、召合せ框１２が四方組され、障子の上下方向の中間の横方向の框である中框１０が召合せ框１２と竪框１１間にわたされている。図示されないが各框の内周溝に嵌入するグレージングチャンネルビードによりガラスが保持されており、上部は図示されない上框８に固定したガイド片が図３に示す上枠２の突条のガイドレール２ａに嵌入して案内され、下部は下框９に固定した戸車が下枠３のガイドレール３ｂに係合して開口枠１内を移動可能となっている。
【００２１】
外障子７は上框１５、下框１６、竪框１７、召合せ框１８が四方組され障子の上下方向の中間の横方向の框である中框２０が召合せ框１８と竪框１７間にわたされている。図示されないが各框の内周溝にはグレージングチャンネルビードによりガラスが保持されており、上部は図示されない上框１５に固定されたガイド片が上枠２の突条のガイドレール２ｃに嵌入して案内され、下部は下框１６に固定した戸車が下枠３のガイドレール３ｃに係合して開口枠１内を移動可能となっている。
【００２２】
内障子６の召合せ框１２に設けたクレセント１９（図１参照、図３では図略）は外障子７の召合せ框１８に固定した図示されない受金具と係合して内障子６、外障子７の引寄せ、引分けを行う。
【００２３】
図２に示すように内障子６、外障子７の召合せ框１２，１８間は内障子６、外障子７に夫々煙返し１２ａ，１８ａを備えている。
【００２４】
図３を参照して下枠３の形状についてのべる。下枠３は外側材３ｄ、内側材３ｅを有する。外側材３ｄと内側材３ｅ間は開口枠１の周面をなす周面材３ｆを一体に有する。周面材３ｆ上にはガイドレール３ｂ，３ｃを一体に有する。ガイドレール３ｂ，３ｃ間はガイドレール３ｂ，３ｃに沿って条溝３ｇとなっている。内側材３ｅは上方へ延出して窓台３ｈが一体に形成されている。なお、窓台が躯体に固定された木製の場合は窓台は下枠３には設けない。窓台が木製の場合は内側材３ｅが単に上方へのばされており、窓台の外側面を蔽う形となる。
【００２５】
竪枠４，５の周面材４ａ，５ａの下部に下枠３の周面材３ｆを突き当てた状態で、周面材４ａ，５ａの小ねじ用の穴を挿通してタッピング穴３ｉに図示されないタッピングねじをねじ込んである。上枠と竪枠との結合部も、上記下枠と竪枠の結合方法と同様である。
【００２６】
窓台３ｈと内部側のガイドレール３ｂ間には条溝３ｊが形成されている。つっかい棒２１は窓台３ｈと外障子７間の空間において下枠３側に装着される場所を選択してよい。即ち、下枠３側がつっかい棒２１の装着部Ｓとなる。
【００２７】
上記はサッシの概要を示すものである。内障子６の召合せ框１２には通常戸当り部材をねじ止めするためのめねじが設けてある。このめねじを利用できる場合は、既にある戸当り部材を外す（戸当り部材が後述する本発明に係る実施例となる場合はそのまま用いる）。
【００２８】
（つっかい棒）
次につっかい棒についてのべる。
【００２９】
このつっかい棒２１は外障子７が開口枠１に移動可能な引違い障子、片引き障子等の召合せ框を有するサッシにおける防犯用つっかい棒である。本例では引違い障子における場合であり、つっかい棒２１は次の構成である。引違い障子についてのべるが片引き障子においても同様である。
【００３０】
図６に示すように内障子６の召合せ框１２に設けた戸当り部材２２に嵌合して衝接可能な対戸当り側嵌合衝接部２３ａを一端に有し、他端にコイルばね２４の一端側２４ａを挿入固定される円筒部２５ａを有する第１のばね支持部材２６と、コイルばね２４と、一端にコイルばね２４の他端側２４ｂを挿入される円筒部２８ａを有し、他端に外障子７に固定されるブラケット２９に嵌合して衝接可能な反戸当り側嵌合衝接部３１ａを有する第２のばね支持部材３０と、第１又は第２のばね支持部材２６，３０（図示は第２のばね支持部材）に一端３２ａが固定されて他端３２ｂ側へ向ってほぼコイルばね２４の長手方向に沿って配され他端３２ｂが把手となった操作部材３２と、を有する。
【００３１】
つっかい棒２１は外障子７の内部側における開口枠１の下枠３の壁面方向の条溝３ｇの空間に操作部材３２を用いてコイルばね２４を湾曲させて（図８参照）着脱可能としてある。内障子６を閉めた状態における戸当り部材２２とブラケット２９間の条溝３ｇがつっかい棒２１の装着部Ｓである。条溝３ｊを装着部としてもよい。また、窓台３ｈと外障子７間の全幅を装着部とし、レール３ｂ上につっかい棒２１を配設してもよい。つまり、窓サッシの主として開口枠の下枠とその回りの形状により装着部を選定するものである。
【００３２】
次に各部について詳細に説明する。
【００３３】
（戸当り部材）
戸当り部材２２はゴム、比較的弾性のある合成樹脂エストラマー等が用いられる。戸当り部材２２は図６に示すように見付方向（壁面に沿う横方向）を中心線とする載円錐形である。この戸当り部材２２の頂部には穴２２ａ、端面２２ｂ、穴底２２ｃを有する。戸当り部材２２は穴底２２ｃから更に設けたねじ用穴に挿入したタッピングねじ２２ｆを内障子６の召合せ框１２の見付方向（壁面に沿う横方向）に面する部材である戸当り側材１２ｂの下端にねじ込んで固定されている。
【００３４】
（対戸当り部材嵌合衝接部）
つっかい棒２１の戸当り部材２２に対する側には戸当り部材２２の穴２２ａにゆるく嵌合する嵌合部２３ａ１を有するねじ部材２３を有する。ねじ部材２３は長さ調節棒２７の端部にねじ込まれている。長さ調節棒２７の端部は対戸当り部材嵌合衝接部２３ａの衝接部２３ａ２をなしている。嵌合部２３ａ１と衝接部２３ａ２を併せて対戸当り部材嵌合衝接部２３aを構成している。上記穴２２ａと嵌合部２３ａ１は、コイルばね２４側を上にしてつっかい棒２１を例えば４５度程度に大きく傾けても嵌合できるように寸法差を設けてある。嵌合部２３ａ１を先細とし、穴２２ａの口側を大きく穴底径を小さく円錐形にしてもよい。
【００３５】
（長さ調節棒）
長さ調節棒２７は複数の段付で戸当り側より順次縮径する丸棒である。長さ調節棒２７は図６において左端におねじ２７ｂを有する。おねじ２７ｂはナット３４に対して長手方向の位置を調節可能にねじ込まれている。長さ調節棒２７にはスパナを掛け得る二面幅部２７ｃが設けてある。
【００３６】
（第１のばね支持部材）
第１のばね支持部材２６はねじ部材２３、円筒管２５、ナット３４、長さ調節棒２７を有している。そして、ナット３４に対して長さ調節棒２７の長手方向位置を調節することにより、第１のばね支持部材２６の長さ調節を行い、つっかい棒２１の全長を変更するものである。
【００３７】
（円筒管２５）
円筒管２５の一端には前述したナット３４が固定されている。この固定方法はナット３４を円筒管２５へ圧入する。又は円筒管２５にナット３４を挿入し、ナット３４に向けて円筒管２５をかしめる。或は圧入かしめ両者を用いる。ナット３４と円筒管２５を溶着してもよい。円筒管２５の他端の円筒部２５ａにはコイルばね２４の一端が固定されている。この固定方法は円筒部２５ａの内径よりもコイルばね２４の外径を大きく製作しておいて、コイルばね２４を捩って縮径した状態で円筒部２５ａへ挿入して捩りを解放するか、又は、単に圧入するかである。
【００３８】
（コイルばね）
コイルばね２４は断面円形の線材の線形と同ピッチ、又はこの線材の直径よりも微小な寸法だけ大としたピッチで作られている。コイルばね２４は円筒部２５ａ、及び円筒部２５ａとは同直径の円筒部２８ａを有する円筒管２８へ前述の方法によって固定可能となっている。コイルばね２４のばね力はつっかい棒２１を水平に置いた状態で、本例では、長手方向でコイルばね２４の中央部をつっかい棒２１に直角方向へ引く力は約８ｋｇで円筒管２５，２８は水平線に対して夫々約３０度となる程度である。
【００３９】
（第２のばね支持部材）
第２のばね支持部材３０は円筒部２８ａを有する円筒管２８と、戸当り側嵌合衝接部３１ａを有するこま３１を有する。
【００４０】
（円筒管２８）
円筒管２８の一端には前述したコイルばね２４の他端側が固定されている。この固定方法は既にのべたコイルばね２４の一端側２４ａと円筒部２５ａの固定方法と同様であるので説明を省略する。
【００４１】
円筒管２８の他端にはこま３１が固定されている。この固定方法は固定部３１ｂを円筒管２８に圧入、又はかしめ、もしくは、これら両者である。また、こま３１を円筒管２８に嵌入してこれらを溶着してもよい。
こま３１は先端に反戸当り側嵌合衝接部３１ａを設けてある。該嵌合衝接部３１ａは突起状の嵌合部３１ａ１とこま３１の固定部３１ｂの端面である衝接部３１ａ２を有する。嵌合部３１ａ１は衝接部３１ａ２につづく部分に根本があり根本から先端に向って先細となるテーパを有する。嵌合部３１ａ１の根本はブラケット２９の穴２９ｂにゆるく嵌合する大きさである。衝接部３１ａ２は円錐形の突部である。この円錐の頂角は大きい。衝接部３１ａ２の円錐形の頂角が大きいことにより、後述の作用でのべる際に、ブラケット２９の水平方向を向いた穴２９ｂに嵌合部３１ａ１が嵌合した状態で第２のばね支持部材３０の構成材である円筒管２８の傾動と共に反戸当り側嵌合衝接部３１ａの中心線がブラケット２９の穴２９ｂの中心線と交叉したとしても、衝接部３１ａ２は穴２９ｂの縁でブラケット２９でストッパ部２９ｃに接触する。これにより、ブラケット２９に対する第２のばね支持部材３０との係脱を円滑にしている。
上述したねじ部材２３、長さ調節部材２７、円筒管２５、コイルばね２４、円筒管２８、こま３１は自然状態（外力を加えない自由な状態）で一直線状に中心線を有する。
【００４２】
（操作部材）
図４、図７に示すように円筒管２８には操作部材３２が固定されている。操作部材３２は円筒管２８に固定された位置ａから図４において右方へ向ってコイルばね２４の長手方向にほぼ沿って配設されている。つっかい棒２１を使用する際は操作部材３２は上部にある。
【００４３】
図７に示すように、操作部材３２の一端３２ａは円筒管２８の円周方向に沿ってくら形に形成されて円筒管２８の下側に回り込むようにしてある。そして、一端３２ａは円筒管２８とは一端３２ａの穴と円筒管２８の半径方向に貫通する穴とにブラインドリベット３５を施工することにより不動に固定されている。
【００４４】
操作部材３２には一端３２ａと同形状でコイルばね２４を抱きかかえるようにばね保持片部３２ｃが設けてある。ばね保持片部３２ｃのつっかい棒２１の長手方向に直角な断面形状は図７に示す一端３２ａとほぼ同形状である。
【００４５】
操作部材３２の他端３２ｂは指を掛け易いように上方へそらせて把手としてある。
【００４６】
上述した一端３２ａ、ばね保持片部３２ｃを除くと、操作部材３２の長手方向に直角な断面は中心角が９０度程度の円弧形状である。
【００４７】
操作部材３２のばね保持片部３２ｃはコイルばね２４の長手方向のほぼ中央にある。そこで、ばね保持片部３２ｃから把手となる他端３２ｂまでの長さを選択することにより、コイルばね２４を曲げる力を選択できる。操作部材３２には錠前３７を設けてもよい。この錠前３７に上方から下方へ向ってかぎを回転すると、錠前３７中のおねじが回転して下降し、円筒管２５に設けた、めねじ２５ｂ（図６参照）にねじ込まれる。
【００４８】
（ブラケット）
ブラケット２９は図２、図３に示すようにそのベース２９ａが外障子７とガイドレール３ｂとの間において外障子７の下框１６又は戸当り框１７に当接し固定されている。固定方法はベース２９ａに設けた穴２９ｄを挿通してねじ部材（図示されない）を下框１６又は戸当り框１７にねじ込む（図示されない）。又は、穴２９ｄ、及び穴２９ｄと同位置における下框１６又は戸当り框１７に穴２９ｄと同径の穴をあけ、これらの穴を用いてブラインドリベットで固定する。
【００４９】
図６に示すようにブラケット２９は上部から見てＬ形であって、ベース２９ａから折曲したストッパ部２９ｃには反戸当り側嵌合衝接部３１ａの嵌合部３１ａ１が嵌合する穴２９ｂが設けてある。穴２９ｂは該嵌合部３１ａ１がゆるく嵌合する大きさである。
【００５０】
（作用）
図２、図４、図５、図６に示すようにつっかい棒２１は外力を加えない状態においては直線状である。召合せ框１２には戸当り部材２２が固定されている。下框１６又は戸当り框１７にはブラケット２９が固定されている。つっかい棒２１は戸当り部材２２とブラケット２９間の装着部Ｓから取り外されているとする。
【００５１】
つっかい棒２１の使用開始に当ってはブラケット２９のストッパ部２９ｃと戸当り部材２２の端面２２ｂ間の距離Ｌに対してつっかい棒２１の長さを調節する。つっかい棒２１の長さは長さ調節棒２７のナット３４へのねじ込み量を調節して行う。そして、つっかい棒２１のつば２７ｄの端面（衝接部２３ａ２）と、こま３１の端面（衝接部３１ａ２）間との距離を上記距離Ｌに一応合せる。
【００５２】
そして次に図８に示すように操作部材３２の他端３２ｂ側である把手と第１のばね支持部材２６を手でもって、コイルばね２４を湾曲させる。これにより、つっかい棒２１のねじ部材２３の頭頂とこま３１の嵌合部３１ａ１の先端間の長さ、即ち、つっかい棒２１のたわんだ長さδは距離Ｌより短くなる。この状態で、つっかい棒２１を戸当り部材２２とブラケット２９間に挿入して、一方端の嵌合部２３ａ１を戸当り部材２２の穴２２ａに一致させると共に他端の嵌合部３１ａ１をブラケット２９の穴２９ｂに一致させる。次に、操作部材３２の他端３２ｂである把手、第１のばね支持部材２６を持っている手を緩め乍コイルばね２４の湾曲をゆるくして行くと、一方端の嵌合部２３ａ１は戸当り部材２２の穴２２ａに挿入される。また、他方端の嵌合部３１ａ１はブラケット２９の穴２９ｂに挿入される。そして、把手（３２ｂ）、第１のばね支持部材２６を持っている両手からコイルばね２４を曲げようとする力をぬくと、コイルばね２４は真直となる。この際先ず嵌合部３１ａ１をブラケット２９の穴２９ｂに嵌合しておくと取り付け易い。このとき、一方端の嵌合部２３ａ１は戸当り部材２２の穴２２ａに完全に進入して、衝接部２３ａ２は戸当り部材２２の端面２２ｂに当接する。同様に他方端の嵌合部３１ａ１はブラケット２９の穴２９ｂに完全に進入して、衝接部３１ａ２はブラケット２９のストッパ部２９ｃに当接する。
【００５３】
なお、上記の他、つっかい棒２１の一端を戸当り部材２２、又は、ブラケット２９に嵌入してから、コイルばね２４を曲げて装着してもよい。
【００５４】
ここで、つっかい棒２１の衝接部２３ａ２と３１ａ２間の距離が長さＬよりも大であるとすると、衝接部２３ａ２が戸当り部材２２に当る力と衝接部３１ａ２がブラケット２９に当る力は等しい。この力を調節するにはつっかい棒２１の操作部材３２側を手で保持して長さ調節棒２７の二面幅部２７ｃにスパナを掛けて回転することにより行う。衝接部２３ａ２，３１ａ２間の距離はＬに制限されているため、長さ調節棒２７を回転するとコイルばねの線間に隙間がある場合はコイルばね２４の圧縮たわみ量が変化する。よって、外障子７へブラケット２９の取付位置を基準にして内障子６の召合せ框１２は内障子６を閉める方向へ加圧される。つっかい棒２１が戸当り部材２２を加圧すると戸当り部材２２は弾力があるので圧縮される。また、衝接部２３ａ２，３１ａ２間の距離をＬをより小さくしてもよい。ただし、つっかい棒２１が戸当り部材２２、ブラケット２９から外れない範囲に限られる。
【００５５】
上述のつっかい棒２１の長さ調節が終わった後はつっかい棒２１はブラケット２９と戸当り部材２２間の下枠３の装着部Ｓへ取り外し可能に装着されるものである。
【００５６】
戸当り部材２２とブラケット２９間にあって真直状態のつっかい棒２１を取り外すには操作部材３２の他端３２ｂ側の把手を持って持ち上げればよい。把手を持ち上げるとき、コイルばね２４は曲りを強めて曲率半径が小さくなる。
【００５７】
このとき、ねじ部材２３の頭の嵌合部２３ａ１は戸当り部材２２の穴２２ａへの嵌合の度合を浅くして行く。また、こま３１の突起である嵌合部３１ａ１はブラケット２９の穴２９ｂへの挿入深さを小さくして行く。そして、ねじ部材２３の嵌合部２３ａ１が戸当り部材２２の穴２２ａから外れるか、こま３１の嵌合部３１ａ１がブラケット２９の穴２９ｂから外れるかして、つっかい棒２１の一端の拘束が解かれた後に、手をゆるめると、コイルばね２４が真直に復元してつっかい棒２１は直線状となる。上記において把手を持ち上げてコイルばね２４が湾曲した状態では、コイルばね２４と下枠３間に空間ができるので、この空間からコイルばね２４部分を指等で支えることにより、戸当り部材２２の穴２２ａからねじ部材２３の嵌合部２３ａ１を先に外すか、ブラケット２９の穴２９ｄからこま３１の突起である対開口嵌合部３１ａ１を先に外すかを選択できる。
【００５８】
なお、戸当り部材２２とブラケット２９の間隔をつっかい棒２１の長さよりも大きくすることにより内障子６の部分開を実現できる。即ち、上記距離Ｌをつっかい棒２１の衝接部２３ａ２，３１ａ２間の距離よりも大きく設定する。また、上記実施例においても、長さ調節棒２７のナット３４へのねじ込み量を調節して内障子６の部分開を実現できる。
【００５９】
上記において、つっかい棒２１は当初長さの調節をすれば、使用の度に調節する必要がない。装着部Ｓへのつっかい棒２１の取り付けは操作部材３２を用いてコイルばね２４を湾曲させて装着する。
【００６０】
つっかい棒２１の装着部Ｓからの取り外しは操作部材３２を用いてコイルばね２４を湾曲させて取り外す。このように、下枠３に沿ってコイルばね２４又は戸当り部材２２の弾力もしくは両者の弾力でつっぱっているため、内障子６はがたなく閉められており、ばね力で押されているので侵入盗がクレセントを破壊して内障子６に振動を加えても、がたつきもなく、閉じたままである。そして、侵入盗がつっかい棒２１を見つけたとしても装着部Ｓが外障子７の下框１６と下枠３の窓台３ｈのせまい条溝中にあるため、外し方を見出し難い。通常つっかい棒は端部を持ち上げて外すものであるため、仮に何等かの道具で調節棒２７を持ち上げようとしたとすると、戸当り部材２２とねじ部材２３の嵌合で持ち上げられない。特に錠前３７を施錠してあると全くつっかい棒は一体の棒となり持ち上がらない。また、第２のばね支持部材３０の円筒管２８を持ち上げようとしてもブラケット２９とこま３１が嵌合しているため持ち上げられない。上から見てコイルばね２４は操作部材３２で蔽われているので、コイルばね２４は発見し難い。
【００６１】
上記実施例では、つっかい棒２１を装着部Ｓから外した状態で内障子６を開くと内障子６の戸当り部材２２はブラケット２９に当り内障子６は部分開となる。
【００６２】
また、長さ調節棒２７をナット３４へねじ込み、つっかい棒２１の長さを短くすると、内障子６は人が出入り出来ない程度に開いた部分開とできる。
【００６３】
つっかい棒２１の長さが短かい場合に、内障子６をほぼ全開できるようにするためには図９に示す延長ロッド棒３６を用いる。丸棒のロッド棒３６は一端には戸当り部材２２の穴２２ａにゆるく嵌合する嵌合部２３ａ１と、戸当り部材２２の穴底２２ｃに衝接する衝接部２３ａ２を有する嵌合衝接部２３ａを有する。丸棒の延長ロッド棒３６の他端にはおねじ３６ａが設けてある。
【００６４】
延長ロッド棒３６は長さ調節棒２７からねじ部材２３を外して、ねじ部材２３がねじ込まれていためねじ２７ｅにおねじ３６ａをねじ込み固定する。延長ロッド棒３６を用いる場合のブラケット２９は堅枠５のきわにおいて竪框である戸当り框１７に固定する。
【００６５】
この延長ロッド棒３６を用いたつっかい棒２１は装着部Ｓから取り外すと内障子６をほぼ全開可能となる。
【図面の簡単な説明】
【００６６】
【図１】引き違い障子を内部側から見る正面図である。
【図２】図１のＡ−Ａ断面図である。
【図３】図１のＢ−Ｂ断面図である。
【図４】つっかい棒の側面図である。
【図５】つっかい棒の平面図である。
【図６】つっかい棒の側断面図である。
【図７】図４のＣ−Ｃ断面図である。
【図８】つっかい棒の使用状態を示す側面図である。
【図９】延長ロッドを用いる場合のつっかい棒及び延長ロッドの側面図である。
【符号の説明】
【００６７】
Ｓ…装着部
Ｌ…距離
１…開口枠
２…上枠  ２ａ…ガイドレール  ２ｃ…ガイドレール
３…下枠  ３ｂ…ガイドレール  ３ｃ…ガイドレール  ３ｄ…外側材  ３ｅ…内側材  ３ｆ…周面材  ３ｇ…条溝  ３ｈ…窓台  ３ｉ…タッピング穴  ３ｊ…条溝
４…堅枠  ４ａ…周面材
５…堅枠  ５ａ…周面材
６…内障子
７…外障子
８…上框
９…下框
１０…中框
１１…堅框
１２…召合せ框  １２ａ…煙返し  １２ｂ…戸当り側材
１５…上框
１６…下框
１７…堅框(戸当り框)
１８…召合せ框  １８ａ…煙返し
１９…クレセント
２０…中框
２１…つっかい棒
２２…戸当り部材  ２２ａ…穴  ２２ｂ…端面  ２２ｃ…穴底  ２２ｄ…穴  ２２ｆ…タッピングねじ
２３…ねじ部材  ２３ａ…対戸当り側嵌合衝接部  ２３ａ１…嵌合部  ２３ａ２…衝接部
２４…コイルばね  ２４ｂ…他端側
２５…円筒管  ２５ａ…円筒部  ２５ｂ…めねじ
２６…第１のばね支持部材
２７…長さ調節棒  ２７ａ…端面  ２７ｂ…おねじ  ２７ｃ…二面幅部  ２７ｄ…つば  ２７ｅ…めねじ
２８…円筒管  ２８ａ…円筒部
２９…ブラケット  ２９ａ…ベース  ２９ｂ…穴  ２９ｃ…ストッパ部  ２９ｄ…穴
３０…第２のばね支持部材
３１…こま  ３１ａ…反戸当り側嵌合衝接部  ３１ａ１…嵌合部  ３１ａ２…衝接部  ３１ｂ…固定部
３２…操作部材  ３２ａ…一端  ３２ｂ…他端  ３２ｃ…ばね保持片部
３３…取付ねじ
３４…ナット
３５…ブラインドリベット
３６…延長ロッド  ３６ａ…おねじ
３７…鍵
【要約】
【目的】  つっかい棒を斜設すると、ガラスを破った侵入盗に容易に外されてしまう。開口部の下枠の溝につっかい棒を入れると取り外しが困難であり、ゆるく入れるしかない。
【構成】  内障子６に戸当り部材２２を取り付ける。下枠３にブラケット２９を固定する。つっかい棒２１の両端を戸当り部材２２とブラケット２９に嵌入する。つっかい棒２１は中間がコイルばねで結合されている。コイルばねの両端は円筒管２５，２８に固定されている。円筒管２８に一端３２ａが固定されている操作部材の他端３２ｂを持ち上げるとコイルばねは湾曲してつっかい棒２１の両端は戸当り部材２２、ブラケット２９から外れてつっかい棒を取り外せる。装着時はつっかい棒を曲げて取り付ける。コイルばねは剛なばねである。
【選択図】        図２
【図１】
0003717510.tif 000002
【図２】
0003717510.tif 000003
【図３】
0003717510.tif 000004
【図４】
0003717510.tif 000005
【図５】
0003717510.tif 000006
【図６】
0003717510.tif 000007
【図７】
0003717510.tif 000008
【図８】
0003717510.tif 000009
【図９】
0003717510.tif 000010